(57)【要約】    【課題】  家庭用、個人用の浴槽において、寝湯姿勢の不安定感を与えずに仰臥位の感覚を与えることができるものとする。    【解決手段】  浴槽１００の内周壁面２０の一部に、水平面（水平底部１２）に対して１３０度で傾斜した背もたれ面２１を形成することにより、入浴者２００に対して、仰臥位の感覚（寝た感じ）を与えつつ、しかも寝湯姿勢における不安定感を抑え、さらに、浴槽１００自体が寝湯装置として機能させて、個人用のコンパクトな浴槽１００によって寝湯姿勢を得る。【選択図】            図１
2006061502.tif 000002
【特許請求の範囲】
【請求項１】
少なくとも底壁面およびこの底壁面の縁部から立ち上がる内周壁面を備えた浴槽におい
て、
前記内周壁面の一部が背もたれ面として形成され、該背もたれ面は、前記底壁面に対し
て１１０度から１５０度までの角度範囲で傾斜して形成されていることを特徴とする浴槽
。
【請求項２】
前記底壁面のうち前記背もたれ面の下端縁に連なる座面部分は、前記背もたれ面の下端
縁から斜め上方に向けて傾斜して形成されていることを特徴とする請求項１に記載の浴槽
。
【請求項３】
前記座面部分の傾斜角度は、水平面に対して１０度から２０度までの角度範囲であるこ
とを特徴とする請求項２に記載の浴槽。
【請求項４】
前記座面部分の前記背もたれ面の下端縁とは反対側の先端より先は、前記底壁面に向け
て落ち込んで、段差が形成されていることを特徴とする請求項２または３に記載の浴槽。
【発明の詳細な説明】
【技術分野】
【０００１】
本発明は浴槽に関し、詳細には、寝湯姿勢に適した浴槽に関する。
【背景技術】
【０００２】
従来より、浴槽に浸された身体をより安静状態に導くために、浴槽内に、リクライニン
グ構造を有する寝湯装置を配することが行われている。
【０００３】
この寝湯装置は、背もたれ部を後方に傾斜させて、身体を仰臥位に近い寝湯姿勢として
リラックス状態を得るものであるが、湯が張られた浴槽内で身体を寝湯姿勢にすると、浮
力を受ける表面積が増大して身体が浮き上がり易くなり、寝湯姿勢を安定して維持するの
が困難となる。
【０００４】
そして、浮力に抗して寝湯姿勢を維持すべく、浴槽の内周壁面等に手足を突っ張る動作
がなされるが、このように手足を緊張状態にすると、身体のリラックス状態を得ることが
できなかった。
【０００５】
そこで、背もたれ部分の傾斜角度変更に連動して、アームレスト、足置き部および足か
け部を変位させるとともに、足かけ部に足を引っ掛けさせることにより、寝湯姿勢を安定
させる寝湯装置が提案されている（特許文献１）。
【特許文献１】特開平６−２３７８７３号公報
【発明の開示】
【発明が解決しようとする課題】
【０００６】
しかし、従来より、浴槽内での寝湯姿勢として、背もたれ面の傾斜角度はどの程度が適
切であるのか、すなわち、どの程度の傾斜角度としたときに、仰臥位の感覚を与えるのか
、また、どの程度の傾斜角度のとき寝湯姿勢が不安定になるのかが解明されていなかった
。
【０００７】
すなわち、上述した従来の寝湯装置は、背もたれ面が単に適当な傾斜角度範囲で揺動可
能に設定されているに過ぎず、使用者に、傾斜角度を試行錯誤的に変化させる操作を行わ
せるものであった。
【０００８】
また、上述した寝湯装置は、業務用の大型の浴槽内には設置することができるものの、
家庭で一般的に用いられるコンパクトな個人用の浴槽内に設置することができず、このよ
うな個人用の浴槽においても寝湯姿勢を得ることが望まれている。なお、個人用の浴槽と
しては、例えば、長手方向における長さが最大でも２ｍ程度である。
【０００９】
本発明は上記事情に鑑みなされたものであり、コンパクトでありながら、寝湯姿勢の不
安定感を与えずに、仰臥位の感覚を与えることができる浴槽を提供することを目的とする
ものである。
【課題を解決するための手段】
【００１０】
本発明の浴槽は、内周壁面の一部を、本発明者らの実験により得られた所定の傾斜角度
で傾斜させることにより、仰臥位の感覚（寝た状態の感じ）を与えつつ安定した寝湯姿勢
を得ることができるものである。
【００１１】
すなわち、本発明に係る浴槽は、少なくとも底壁面およびこの底壁面の縁部から立ち上
がる内周壁面を備えた浴槽において、前記内周壁面の一部が背もたれ面として形成され、
該背もたれ面は、前記底壁面に対して１１０度から１５０度までの角度範囲で傾斜して形
成されていることを特徴とする。
【００１２】
本発明者らの実験結果によれば、背もたれ面が底壁面に対して１１０度から１５０度ま
での角度範囲で傾斜している状態では、入浴者に対して、仰臥位の感覚を与えつつ、しか
も寝湯姿勢における不安定感を抑えることができる。
【００１３】
また、浴槽の内周壁面が上述した背もたれ面として形成されているため、寝湯装置を浴
槽内に設ける必要はなく、浴槽自体が寝湯装置として機能し、個人用のコンパクトな浴槽
によって寝湯姿勢を得ることができる。
【００１４】
なお、浴槽の底壁面に対する背もたれ面の傾斜角度としては、特に略１３０度であるこ
とが好ましい。本発明者らの実験結果によれば、略１３０度の傾斜角度において、仰臥位
の感覚と寝湯姿勢における安定感とを、最もバランスよく得ることができるからである。
【００１５】
本発明に係る浴槽においては、底壁面のうち背もたれ面の下端縁に連なる座面部分が、
背もたれ面の下端縁から斜め上方に向けて傾斜して形成されていることが好ましい。
【００１６】
背もたれ面と座面部分とによってＶ字状の断面形状が得られ、このＶ字の底部である屈
曲部分に、身体の臀部が収まり易くなり、姿勢の安定感を得やすいからである。
【００１７】
本発明に係る浴槽においては、座面部分の傾斜角度が、水平面に対して１０度から２０
度までの角度範囲に設定されていることが好ましい。
【００１８】
本発明者らの実験結果によれば、背もたれ面が底壁面に対して１１０度から１５０度ま
での角度範囲で傾斜している状態では、座面部分の傾斜角度が１０度以上の角度範囲で、
寝湯姿勢の安定感の向上を得ることができたが、傾斜角度が２０度を超えると、背もたれ
面と座面部分との間の身体収容空間の角度が狭くなり始めて、窮屈感が生じ始める。
【００１９】
このため、窮屈感を与えることなく、寝湯姿勢の安定性の向上感を得る上で、座面部分
の傾斜角度は、１０度から２０度の角度範囲であることが好ましい。
【００２０】
また、本発明に係る浴槽においては、座面部分の、背もたれ面の下端縁とは反対側の先
端より先は、底壁面に向けて落ち込んで、段差が形成されていることが好ましい。
【００２１】
本発明者らの実験結果によれば、脚部が膝関節で曲げられた下肢姿勢であっても仰臥位
の感覚を得ることができることが判明し、本発明の浴槽によれば、大腿部は座面部分に載
せられ、膝関節で脚部は曲げられ、下腿部は座面部分の先端より先で底壁面に向けて垂ら
された下肢姿勢となり、仰臥位の感覚を得つつ、脚部全体を座面に沿って伸ばした下肢姿
勢をとる場合よりも、浴槽の長手方向の長さを短くすることができ、浴槽の一層のコンパ
クト化を図ることができる。
【発明の効果】
【００２２】
本発明に係る浴槽によれば、背もたれ面が底壁面に対して１１０度から１５０度までの
角度範囲で傾斜しているため、入浴者に対して、仰臥位の感覚（寝た感じ）を与えつつ、
しかも寝湯姿勢における不安定感を抑えることができる。
【００２３】
また、浴槽の内周壁面が上述した背もたれ面として形成されているため、寝湯装置を浴
槽内に設ける必要はなく、浴槽自体が寝湯装置として機能し、個人用のコンパクトな浴槽
によって寝湯姿勢を得ることができる。
【発明を実施するための最良の形態】
【００２４】
以下、本発明に係る浴槽についての最良の実施形態について、図面を参照して説明する
。図１，２は本発明に係る浴槽についての一実施形態を示す図であり、図１（ａ）は平面
図、同図（ｂ）は（ａ）におけるＡ−Ａ線に沿った断面を表す断面図、図２（ａ）は図１
（ａ）におけるＢ−Ｂ線に沿った断面を表す断面図、図２（ｂ）は図１（ａ）におけるＣ
−Ｃ線に沿った断面を表す断面図である。
【００２５】
図示の浴槽１００は、例えば、材料が合成樹脂または金属であり、金型を用いる等して
大量生産が可能なものであり、主として一般家庭の個人用に用いられるコンパクトな浴槽
である。
【００２６】
この浴槽１００は、底壁面１０と、この底壁面１０の周縁部から立ち上がる内周壁面２
０と、内周壁面の上縁部から水平方向の外方に拡がる外縁部３０とからなり、具体的な大
きさとしては、図１（ａ）に示した平面視において、長辺方向（長手方向）が１６４５ｍ
ｍ、短辺方向が８１８ｍｍ、同図（ｂ）に示した断面図において、高さ方向が５００ｍｍ
である。
【００２７】
そして、内周壁面２０のうち一方の短辺方向に略沿った部分は、入浴者２００の背中が
載せられる背もたれ面２１として形成され、この背もたれ面２１は、底壁面１０のうち略
水平である水平底部１２に対して、角度αで傾斜している。この傾斜角度αは、本実施形
態においては、例えば１３０度であるが、１１０度から１５０度までの角度範囲であれば
、他の傾斜角度であってもよい。
【００２８】
また、底壁面１０のうち背もたれ面２１の下端縁に連なる座面部分１１は、背もたれ面
２１の下端縁から斜め上方に向けて傾斜して形成されている。
【００２９】
この座面部分１１の傾斜角度βは、本実施形態においては水平面に対して例えば１５度
であるが、他の傾斜角度であってもよい。なお、好ましくは１０度から２０度までの角度
範囲である。
【００３０】
なお、この座面部分１１の、背もたれ面２１の下端縁に連なる連接部分１１ａは、底壁
面１０のうち、略水平の水平底部１２よりも高い位置にとされ、例えばその高さは８６ｍ
ｍ程度である。座面部分１１の長辺方向に沿った長さは、例えば座面部分１１に入浴者２
００の臀部から大腿部を載置させるのに適した３５０ｍｍ程度に形成されているため、座
面部分１１の先端部分１１ｂ（背もたれ面２１の下端縁側の連接部分１１ａとは反対側の
先端部分）と水平底部１２とは、高さ方向について１８０ｍｍ程度の段差となっている。
【００３１】
さらに、座面部分１１の先端部分１１ｂより先は、底壁面１０のうち水平底部１２に向
けて落ち込み、段差が形成されている。
【００３２】
また、内周壁面２０のうち長辺方向に略沿った側面２２，２２には、背もたれ面２１に
近接した位置から座面部分１１と略平行となるような傾斜角度γ（例えば１８度）で傾斜
して延びた、入浴者の腕部が載置されるアームレスト２４，２４が形成されている。
【００３３】
なお、水平底部１２は、厳密には、背もたれ面２１に対向する内周壁面２３側から座面
部分１１に近づく方向に向けて下がる、僅かな下り勾配が付けられている。この下り勾配
は、浴槽１００の内部に溜められた湯水を排水するためのものであり、水平底部１２の最
も低い位置には、図示しない排水口が形成されている。
【００３４】
次に、本実施形態に係る浴槽１００の作用について説明する。
【００３５】
湯が張られた浴槽１００に入浴者２００が入った状態（図１（ｂ））において、座面部
分１１に入浴者２００の臀部および大腿部が載置され、背もたれ面２１に入浴者の背中が
凭れかけられると、この浴槽１００の背もたれ面２１と座面部分１１とは略Ｖ字断面形状
であるため、このＶ字の底部である屈曲部分（背もたれ面２１と座面部分１１との連接部
分）に、入浴者２００の臀部が自重によって収まり、図１（ｂ）に示した寝湯姿勢となる
。
【００３６】
ここで、本発明者らは、背もたれ面２１の傾斜角度αと、仰臥位の感覚およびその姿勢
の安定感との関係を実験し、図３（ａ）に示す結果を得た。
【００３７】
すなわち、図３（ａ）は、「背もたれ面２１の傾斜角度α」に応じた、サンプル者中の
「仰臥位の感覚（寝た感じ）を得た人数の割合」（□点）と、「そのときの姿勢（寝湯姿
勢）に安定感を感じた人数の割合」（○点）とを示した実験結果である。
【００３８】
この実験結果によれば、背もたれ面２１が底壁面１０（水平底部１２）に対して１１０
度から１５０度までの角度範囲で傾斜している状態では、入浴者２００に対して、仰臥位
の感覚を与えつつ、しかも浴槽１００に張られた湯水による浮力の存在に拘わらず寝湯姿
勢における安定感を得ることができる、と判明した。
【００３９】
そして、本実施形態の浴槽１００の背もたれ面２１の傾斜角度αは、１１０度から１５
０度の範囲内である１３０度であるため、入浴者２００に対して、仰臥位の感覚を与えつ
つ、浴槽１００に張られた湯水による浮力の存在に拘わらず寝湯姿勢における安定感を与
えることができる。なお、傾斜角度α＝１３０度は、図３（ａ）に示した実験結果に鑑み
、仰臥位の感覚と寝湯姿勢における安定感とを、最もバランスよく得ることができる。
【００４０】
しかも、浴槽１００の内周壁面２０が上述した背もたれ面２１として形成されているた
め、浴槽１００とは別体の寝湯装置を浴槽内に設ける必要はなく、浴槽１００自体が寝湯
装置として機能し、個人用のコンパクトな浴槽１００によって寝湯姿勢を得ることができ
る。
【００４１】
また、上述した寝湯姿勢は、背もたれ面２１と座面部分１１とによって形成された略Ｖ
字断面形状の底部である連接部分１１ａ（屈曲部分）に、入浴者２００の臀部が収まるた
め、姿勢の安定感を得やすい。
【００４２】
ここで、本発明者らは、背もたれ面２１の傾斜角度αが１３０度のとき、座面部分１１
の傾斜角度βと姿勢の安定性の向上との関係を実験し、図３（ｂ）に示す結果を得た。
【００４３】
すなわち、図３（ｂ）は、「座面部分１１の傾斜角度β」に応じた、サンプル者中の「
寝湯姿勢の安定性の向上を感じた人数の割合」を示した実験結果である。
【００４４】
この実験結果によれば、座面部分１１が１０度以上の角度範囲で傾斜している状態では
、入浴者２００に対して、浴槽１００に張られた湯水による浮力の存在に拘わらず寝湯姿
勢における安定性の著しい向上感を与えることができる、と判明した。なお、座面部分１
１の傾斜角度βが２０度を超えると、背もたれ面２１と座面部分１１との間に形成された
身体収容空間の角度θ（＝α−β）が狭くなるため、姿勢の安定感を与えつつも、窮屈感
が増大し始める。
【００４５】
したがって、座面部分１１の傾斜角度βは、姿勢安定感の向上程度と窮屈感の増大程度
とのバランスにより、１０度から２０度までの角度範囲が好ましい、と判明した。
【００４６】
そして、本実施形態の浴槽１００の座面部分１１の傾斜角度βは、１０度から２０度の
範囲内である１５度であるため、入浴者２００に対して、窮屈感を与えることなく、寝湯
姿勢について大きな安定感を与えることができる。
【００４７】
また、上述した寝湯姿勢の入浴者２００の大腿部は、座面部分１１に載置されるが、座
面部分１１の先端（背もたれ面２１に連なる部分とは反対側の先端部分）より先は、水平
底部１２に向けて落ち込んで、段差が形成されているため、この先端部分から先において
、膝関節が、膝関節より先の下腿部の自重によって自然に曲がり、足先が水平底部１２に
当接するように、入浴者２００の脚部が屈曲する。
【００４８】
ここで、本発明者らの実験結果によれば、脚部が膝関節で曲げられた下肢姿勢であって
も、仰臥位の感覚を得ることができることが判明し、上述した入浴者２００の寝湯姿勢に
あっても、仰臥位の感覚を得ることができる。
【００４９】
しかも、入浴者２００の脚部が屈曲することによって、脚部を真っ直ぐ伸ばした状態よ
りも、浴槽１００の内部の長手方向の長さを短くすることができる。すなわち、内周壁面
２０のうち足先方向の壁面２３を、足先に、より近づけて形成することができる。
【００５０】
なお、この足先方向の壁面２３は、この浴槽１００を製造型から取り出すことができる
程度の抜き勾配を確保しつつ、より鉛直に近いものとするのが好ましい。足先方向の余裕
空間を拡げ、窮屈感を感じさせないためである。
【００５１】
以上、詳細に説明したように、本実施形態に係る浴槽１００によれば、背もたれ面２１
が水平面（水平底部１２）に対して１３０度で傾斜しているため、入浴者２００に対して
、仰臥位の感覚（寝た感じ）を与えつつ、しかも寝湯姿勢における不安定感を抑えること
ができ、さらに、浴槽１００自体が寝湯装置として機能するため、個人用のコンパクトな
浴槽１００によって寝湯姿勢を得ることができる。
【００５２】
なお、本発明に係る浴槽は、上述した実施形態に係る浴槽１００に限定されるものでは
なく、本発明の技術的思想の範囲において、種々の形態を採ることができる。
【図面の簡単な説明】
【００５３】
【図１】本発明に係る浴槽の一実施形態を示す図であり、（ａ）は平面図、（ｂ）は（ａ）におけるＡ−Ａ線に沿った断面を表す断面図をそれぞれ示す。
【図２】（ａ）は図１（ａ）におけるＢ−Ｂ線に沿った断面を表す断面図、（ｂ）は図１（ａ）におけるＣ−Ｃ線に沿った断面を表す断面図である。
【図３】浴槽についての実験結果を示すグラフであり、（ａ）は、「背もたれ面の傾斜角度」に応じた、サンプル者中の「仰臥位の感覚（寝た感じ）を得た人数の割合」と、「そのときの姿勢（寝湯姿勢）に安定感を感じた人数の割合」とを示した実験結果、（ｂ）は、「座面部分の傾斜角度」に応じた、サンプル者中の「寝湯姿勢の安定性の向上を感じた人数の割合」を示した実験結果、をそれぞれ示す。
【符号の説明】
【００５４】
１０    底壁面
１１    座面部分
１１ａ  連接部分
１１ｂ  先端部分
１２    水平底部
２０    内周壁面
２１    背もたれ面
２２    側面
２３    足先方向の壁面
２４    アームレスト
３０    外縁部
１００  浴槽
２００  入浴者
α      背もたれ面の傾斜角度
β      座面部分の傾斜角度
γ      アームレストの傾斜角度
θ      身体が収まる空間の挟角
【図１】
2006061502.tif 000003
【図２】
2006061502.tif 000004
【図３】
2006061502.tif 000005